(57)【要約】【課題】放送電波を安定した状態で受信することのできる移動体放送受信装置を提供する。【解決手段】移動体の異なる位置に配設され、ＲＦ信号を受信する複数のアンテナ１４ａ〜１４ｄと、各アンテナ１４ａ〜１４ｄにより受信した各ＲＦ信号を増幅する複数の増幅器（低ノイズ増幅器ＬＮＡａ〜ＬＮＡｄ）と、各ＲＦ信号の各信号レベルを検出する検出手段（ＣＰＵ３０）と、各信号レベルの何れかが所定閾値以上であるか否かを判定する判定手段（ＣＰＵ３０）と、各信号レベルの何れかが所定閾値以上と判定されたとき、全ての増幅器（低ノイズ増幅器ＬＮＡａ〜ＬＮＡｄ）を、各ＲＦ信号を増幅しない非作動状態に設定する設定手段（スイッチ部１６）と、を備える。【選択図】図１
2011229057.tif 000002
【特許請求の範囲】
【請求項１】
移動体に搭載され、放送局から送信される放送電波を受信する移動体放送受信装置において、
前記移動体の異なる位置に配設され、前記放送電波を受信する複数のアンテナと、
各前記アンテナが受信した各前記放送電波を増幅する複数の増幅器と、
各前記放送電波の各信号レベルを検出する検出手段と、
前記各信号レベルの何れかが所定閾値以上であるか否かを判定する判定手段と、
前記各信号レベルの何れかが前記所定閾値以上と判定されたとき、全ての前記増幅器を各前記放送電波を増幅しない非作動状態に設定する設定手段と、
を備えることを特徴とする移動体放送受信装置。
【請求項２】
移動体に搭載され、放送局から送信される放送電波を受信する移動体放送受信装置において、
前記移動体の異なる位置に配設され、前記放送電波を受信する複数のアンテナと、
各前記アンテナが受信した各前記放送電波を増幅する複数の増幅器と、
各前記放送電波の各信号レベルを検出する検出手段と、
前記各信号レベルの全てが所定閾値以下であるか否かを判定する判定手段と、
前記各信号レベルの全てが前記所定閾値以下と判定されたとき、全ての前記増幅器を各前記放送電波を増幅する作動状態に設定する設定手段と、
を備えることを特徴とする移動体放送受信装置。
【請求項３】
移動体に搭載され、放送局から送信される放送電波を受信する移動体放送受信装置において、
前記移動体の異なる位置に配設され、前記放送電波を受信する複数のアンテナと、
各前記アンテナが受信した各前記放送電波を増幅する複数の増幅器と、
各前記放送電波の各信号レベルを検出する検出手段と、
前記各信号レベルの何れかが第１閾値以上であるか否かを判定する第１判定手段と、
前記各信号レベルの全てが前記第１閾値よりも小さい第２閾値以下であるか否かを判定する第２判定手段と、
前記第１判定手段により、前記各信号レベルの何れかが前記第１閾値以上と判定されたとき、全ての前記増幅器を各前記放送電波を増幅しない非作動状態に設定し、前記第２判定手段により、前記各信号レベルの全てが前記第２閾値以下と判定されたとき、全ての前記増幅器を各前記放送電波を増幅する作動状態に設定する設定手段と、
を備えることを特徴とする移動体放送受信装置。
【請求項４】
移動体に搭載され、放送局から送信される放送電波を受信する移動体放送受信装置において、
前記移動体の異なる位置に配設され、前記放送電波を受信する複数のアンテナと、
各前記アンテナが受信した各前記放送電波を増幅する複数の増幅器と、
各前記放送電波の各信号レベルを検出する検出手段と、
前記各信号レベルの何れかが第１閾値以上であるか否かを判定する第１判定手段と、
前記各信号レベルの全てが前記第１閾値よりも小さい第２閾値以下であるか否かを判定する第２判定手段と、
前記各信号レベルの全てが前記第１閾値よりも小さく、且つ、前記各信号レベルの何れかが前記第２閾値よりも大きいと判定されたとき、全ての前記増幅器の作動状態をそのまま維持するように設定する設定手段と、
を備えることを特徴とする移動体放送受信装置。
【請求項５】
前記設定手段は、各前記アンテナと各前記増幅器との間に接続され、各前記放送電波を各前記増幅器に供給し、または、各前記増幅器をバイパスさせる切り替えスイッチにより構成されることを特徴とする請求項１〜４のいずれか１項に記載の移動体放送受信装置。
【発明の詳細な説明】
【技術分野】
【０００１】
本発明は、移動体放送受信装置に関し、特に、車両等の移動体に搭載され、放送局から送信される放送電波を受信する移動体放送受信装置に関する。
【背景技術】
【０００２】
車両等の移動体には、テレビ等の放送電波を受信して視聴することのできる放送受信装置が搭載されているものがある。このような放送受信装置においては、移動体の移動に伴う放送局からの距離の変化や、走行路周辺の建造物の影響等により、放送電波の受信状態が変化するため、場所によっては視聴困難となることがある。
【０００３】
視聴困難な場所での感度改善策として、アンテナで受信した放送電波を低ノイズ増幅器（ＬＮＡ：Low Noise Amplifier）で増幅してチューナに供給するように構成したものがある。この場合、弱電界中では、感度改善の効果があるものの、強電界中では、ゲイン（利得）が大き過ぎるため、放送電波の入力特性が悪化して映像がフリーズしたり、ブロックノイズが発生するといった不具合が生じてしまう。
【０００４】
このような不具合を回避するため、例えば、下記の特許文献１（特開２００８−１０９５３３号公報）には、アンテナで受信した放送電波の信号レベルを検出し、信号レベルが所定の閾値以下（弱電界環境）のときには、ＬＮＡにより信号レベルを増幅してチューナに供給する一方、信号レベルが所定の閾値よりも大きいとき（強電界環境）には、ＬＮＡをバイパスさせて放送電波を直接チューナに供給するようにしたデジタル放送受信機および制御方法が開示されている。
【０００５】
この特許文献１によれば、受信する放送電波の信号レベルの変動によらず、所望の放送を視聴可能になるとともに、ＬＮＡを不必要に稼動させないことで、節電を図ることができる。しかしながら、信号レベルに応じてＬＮＡを切り替えているだけであるため、例えば、車両が市街地を走行している場合のように、周囲の建物によって放送信号の信号レベルが頻繁に変動するような場所では、ＬＮＡの切り替えが頻繁に発生し、映像や音声が乱れて放送の視聴状態が安定しない不具合が生じる。
【０００６】
また、下記の特許文献２（特開２００６−２６１７１０号公報）では、ＩＦ−ＡＧＣ制御電圧が第１の閾値を上回ったとき、放送電波であるＲＦ信号を前置増幅器で増幅してチューナに供給する一方、ＲＦ−ＡＧＣ制御電圧が第２の閾値を下回ったとき、前置増幅器をバイパスさせてＲＦ信号をチューナに供給することにより、前置増幅器の切り替え頻度を少なくしてハンチングを回避するようにした移動体受信用デジタル放送受信機が開示されている。また、この移動体受信用デジタル放送受信機では、２系統の受信回路を備えたダイバシティ方式において、両系統の受信回路が同時に切り替わらないように構成することにより、ハンチングをさらに回避可能としている。
【先行技術文献】
【特許文献】
【０００７】
【特許文献１】特開２００８−１０９５３３号公報（請求項１）
【特許文献２】特開２００６−２６１７１０号公報（請求項１、３）
【発明の概要】
【発明が解決しようとする課題】
【０００８】
しかしながら、上記特許文献２に開示されているように、複数の前置増幅器毎に前置増幅器をバイパスさせるか、前置増幅器を介して増幅してチューナに供給するかを切り替えている場合、下記のような問題が生じうる。
【０００９】
例えば、現在位置において、ビルなどの建造物の影響がなければＩＦ−ＡＧＣ制御電圧が第１の閾値以上得られる位置であっても、建造物の影響によりＩＦ−ＡＧＣ制御電圧が第２の閾値以下しか得られない場合がある。この際に、いずれかのアンテナで第１の閾値以上のＩＦ−ＡＧＣ制御電圧が得られていても、その他のアンテナではＩＦ−ＡＧＣ制御電圧が第２の閾値以下であれば場合、当該その他のアンテナで受信したＲＦ信号を前置増幅器で増幅してチューナに供給するように切り替えられる。
【００１０】
すなわち、建造物の影響で一時的にあるアンテナで受信したＲＦ信号のみのＩＦ−ＡＧＣ制御電圧が下がった場合、当該ＲＦ信号を前置増幅器で増幅してチューナに供給するように切り替えてしまう。そして、移動に伴い、一時的な建造物の影響から脱した場合、当該アンテナで受信したＲＦ信号のＩＦ−ＡＧＣ制御電圧が第１の閾値以上となるため、前置増幅器をバイパスさせるように切り替えることになり、前置増幅器をバイパスさせるか否かを頻繁に切り替える必要が生じてしまい、無駄な消費電力を消費してしまうという問題が生じる。
【００１１】
本発明は、上記の問題点を解消することを課題とするものであり、放送電波を安定した状態で受信することができ、さらには、消費電力の節約が可能な移動体放送受信装置を提供することを目的とするものである。
【課題を解決するための手段】
【００１２】
前記課題を解決するために、本願の請求項１にかかる発明は、移動体に搭載され、放送局から送信される放送電波を受信する移動体放送受信装置において、前記移動体の異なる位置に配設され、前記放送電波を受信する複数のアンテナと、各前記アンテナが受信した各前記放送電波を増幅する複数の増幅器と、各前記放送電波の各信号レベルを検出する検出手段と、前記各信号レベルの何れかが所定閾値以上であるか否かを判定する判定手段と、前記各信号レベルの何れかが前記所定閾値以上と判定されたとき、全ての前記増幅器を各前記放送電波を増幅しない非作動状態に設定する設定手段と、を備えることを特徴とする。
【００１３】
また、本願の請求項２にかかる発明は、移動体に搭載され、放送局から送信される放送電波を受信する移動体放送受信装置において、前記移動体の異なる位置に配設され、前記放送電波を受信する複数のアンテナと、各前記アンテナが受信した各前記放送電波を増幅する複数の増幅器と、各前記放送電波の各信号レベルを検出する検出手段と、前記各信号レベルの全てが所定閾値以下であるか否かを判定する判定手段と、前記各信号レベルの全てが前記所定閾値以下と判定されたとき、全ての前記増幅器を各前記放送電波を増幅する作動状態に設定する設定手段と、を備えることを特徴とする。
【００１４】
また、本願の請求項３にかかる発明は、移動体に搭載され、放送局から送信される放送電波を受信する移動体放送受信装置において、前記移動体の異なる位置に配設され、前記放送電波を受信する複数のアンテナと、各前記アンテナが受信した各前記放送電波を増幅する複数の増幅器と、各前記放送電波の各信号レベルを検出する検出手段と、前記各信号レベルの何れかが第１閾値以上であるか否かを判定する第１判定手段と、前記各信号レベルの全てが前記第１閾値よりも小さい第２閾値以下であるか否かを判定する第２判定手段と、前記第１判定手段により、前記各信号レベルの何れかが前記第１閾値以上と判定されたとき、全ての前記増幅器を各前記放送電波を増幅しない非作動状態に設定し、前記第２判定手段により、前記各信号レベルの全てが前記第２閾値以下と判定されたとき、全ての前記増幅器を各前記放送電波を増幅する作動状態に設定する設定手段と、を備えることを特徴とする。
【００１５】
また、本願の請求項４にかかる発明は、移動体に搭載され、放送局から送信される放送電波を受信する移動体放送受信装置において、前記移動体の異なる位置に配設され、前記放送電波を受信する複数のアンテナと、各前記アンテナが受信した各前記放送電波を増幅する複数の増幅器と、各前記放送電波の各信号レベルを検出する検出手段と、前記各信号レベルの何れかが第１閾値以上であるか否かを判定する第１判定手段と、前記各信号レベルの全てが前記第１閾値よりも小さい第２閾値以下であるか否かを判定する第２判定手段と、前記各信号レベルの全てが前記第１閾値よりも小さく、且つ、前記各信号レベルの何れかが前記第２閾値よりも大きいと判定されたとき、全ての前記増幅器の作動状態をそのまま維持するように設定する設定手段と、を備えることを特徴とする。
【００１６】
また、本願の請求項５にかかる発明は、請求項１〜４の何れかにかかる発明において、前記設定手段は、各前記アンテナと各前記増幅器との間に接続され、各前記放送電波を各前記増幅器に供給し、または、各前記増幅器をバイパスさせる切り替えスイッチにより構成されることを特徴とする。
【発明の効果】
【００１７】
請求項１にかかる発明においては、移動体に搭載され、放送局から送信される放送電波を受信する移動体放送受信装置において、前記移動体の異なる位置に配設され、前記放送電波を受信する複数のアンテナと、各前記アンテナが受信した各前記放送電波を増幅する複数の増幅器と、各前記放送電波の各信号レベルを検出する検出手段と、前記各信号レベルの何れかが所定閾値以上であるか否かを判定する判定手段と、前記各信号レベルの何れかが前記所定閾値以上と判定されたとき、全ての前記増幅器を各前記放送電波を増幅しない非作動状態に設定する設定手段と、を備える。
【００１８】
このように構成することにより、各放送電波の信号レベルの何れかが所定閾値以上であれば、全ての増幅器をＯＦＦ状態に設定して、放送電波を増幅することなく所望の放送を視聴することができる。この場合、増幅器が頻繁にＯＮ、ＯＦＦされることがないため、安定した状態で放送を視聴することができる。また、頻繁な切り替えによる無駄な電力消費を抑制することができ、消費電力の節約が可能になるから省電力にも十分寄与できる。
【００１９】
請求項２にかかる発明においては、移動体に搭載され、放送局から送信される放送電波を受信する移動体放送受信装置において、前記移動体の異なる位置に配設され、前記放送電波を受信する複数のアンテナと、各前記アンテナが受信した各前記放送電波を増幅する複数の増幅器と、各前記放送電波の各信号レベルを検出する検出手段と、前記各信号レベルの全てが所定閾値以下であるか否かを判定する判定手段と、前記各信号レベルの全てが前記所定閾値以下と判定されたとき、全ての前記増幅器を各前記放送電波を増幅する作動状態に設定する設定手段と、を備える。
【００２０】
このように構成することにより、各放送電波の信号レベルの全てが所定閾値以下であれば、全ての前記増幅器をＯＮ状態に設定して放送電波を増幅し、所望の放送を安定した状態で視聴することができる。また、頻繁な切り替えによる無駄な電力消費を抑制することができ、消費電力の節約が可能になるから省電力にも十分寄与できる。
【００２１】
請求項３にかかる発明においては、移動体に搭載され、放送局から送信される放送電波を受信する移動体放送受信装置において、前記移動体の異なる位置に配設され、前記放送電波を受信する複数のアンテナと、各前記アンテナが受信した各前記放送電波を増幅する複数の増幅器と、各前記放送電波の各信号レベルを検出する検出手段と、前記各信号レベルの何れかが第１閾値以上であるか否かを判定する第１判定手段と、前記各信号レベルの全てが前記第１閾値よりも小さい第２閾値以下であるか否かを判定する第２判定手段と、前記第１判定手段により、前記各信号レベルの何れかが前記第１閾値以上と判定されたとき、全ての前記増幅器を各前記放送電波を増幅しない非作動状態に設定し、前記第２判定手段により、前記各信号レベルの全てが前記第２閾値以下と判定されたとき、全ての前記増幅器を各前記放送電波を増幅する作動状態に設定する設定手段と、を備える。
【００２２】
このように構成することにより、放送電波のＡＧＣレベルの少なくとも１つが第１の閾値以上であれば、低ノイズ増幅器ＬＮＡａ〜ＬＮＡｄを用いず、逆に、全ての放送電波のＡＧＣレベルが第２の閾値以下であれば、低ノイズ増幅器ＬＮＡａ〜ＬＮＡｄを用いるようしたので、増幅器ＬＮＡａ〜ＬＮＡｄのオン（接続）、オフ（非接続）制御にヒステリシスを持たせることができ、増幅器が頻繁に切り替わってしまう不具合を効果的に解消することができる。また、増幅器が頻繁にＯＮ、ＯＦＦされることがないため、無駄な電力消費を抑制することができ、消費電力の節約が可能になる。
【００２３】
請求項４にかかる発明においては、移動体に搭載され、放送局から送信される放送電波を受信する移動体放送受信装置において、前記移動体の異なる位置に配設され、前記放送電波を受信する複数のアンテナと、各前記アンテナが受信した各前記放送電波を増幅する複数の増幅器と、各前記放送電波の各信号レベルを検出する検出手段と、前記各信号レベルの何れかが第１閾値以上であるか否かを判定する第１判定手段と、前記各信号レベルの全てが前記第１閾値よりも小さい第２閾値以下であるか否かを判定する第２判定手段と、前記各信号レベルの全てが前記第１閾値よりも小さく、且つ、前記各信号レベルの何れかが前記第２閾値よりも大きいと判定されたとき、全ての前記増幅器の作動状態をそのまま維持するように設定する設定手段と、を備える。
【００２４】
このように構成することにより、各放送電波の信号レベルの全てが第１閾値よりも小さく、且つ、前記各信号レベルの何れかが第２閾値よりも大きいとき、増幅器を現在の状態に維持することにより、増幅器が頻繁にＯＮ、ＯＦＦされることがなく、安定した状態で所望の放送を視聴することができる。また、増幅器が頻繁にＯＮ、ＯＦＦされることがないため、無駄な電力消費を抑制することができ、消費電力の節約が可能になる。
【００２５】
請求項５にかかる発明においては、請求項１〜４のいずれかに記載の発明において、前記設定手段は、各前記アンテナと各前記増幅器との間に接続され、各前記放送電波を各前記増幅器に供給し、または、各前記増幅器をバイパスさせる切り替えスイッチにより構成される。これにより、容易に増幅器の接続、非接続（オン・オフ）を制御することができる。
【図面の簡単な説明】
【００２６】
【図１】本発明の実施例における移動体放送受信装置の構成ブロック図である。
【図２】本発明の実施例における移動体放送受信装置の動作フローチャートである。
【図３】本発明の実施例における各アンテナにより受信した放送電波のＡＧＣレベルと、低ノイズ増幅器のＯＮ、ＯＦＦ状態との関係説明図である。
【発明を実施するための形態】
【００２７】
以下、本発明の具体例を実施例及び図面を用いて詳細に説明する。但し、以下に示す実施形態は、本発明の技術的思想を具体化するための移動体放送受信装置を例示するものであって、本発明をこの移動体放送受信装置に特定することを意図するものではなく、特許請求の範囲に含まれるその他の実施形態の移動体放送受信装置にも等しく適応し得るものである。
【実施例】
【００２８】
図１は、本発明の一実施例である自動車に搭載された移動体放送受信装置１０の構成を示すブロック図である。移動体放送受信装置１０は、放送局１２から送信される放送電波、すなわち、ＲＦ信号（高周波帯域信号）を受信する複数のアンテナ１４ａ〜１４ｄを有したダイバシティ方式の受信装置である。各アンテナ１４ａ〜１４ｄは、自動車の異なる部位に配置される（例えば、自動車のフロントガラスの左上、右上、左横、右横など）。なお、移動体放送受信装置１０は、現在位置および地図情報に基づき目的地までの経路を探索して、探索した経路を表示するナビゲーション装置などに搭載することができる。
【００２９】
各アンテナ１４ａ〜１４ｄが受信したＲＦ信号は、スイッチ部１６を構成する各切り替えスイッチ１８ａ〜１８ｄ（設定手段）を介して、低ノイズ増幅器ＬＮＡａ〜ＬＮＡｄ（増幅器）に供給され、または、バイパスライン２０ａ〜２０ｄから直接チューナ部２２に供給される。
【００３０】
チューナ部２２は、低ノイズ増幅器ＬＮＡａ〜ＬＮＡｄによって増幅された各ＲＦ信号、または、バイパスライン２０ａ〜２０ｄを介して供給された各ＲＦ信号のゲインを自動調整するＡＧＣ回路２４ａ〜２４ｄと、各ＡＧＣ回路２４ａ〜２４ｄによりゲインが調整されたＲＦ信号を合成する信号合成回路２６と、合成されたＲＦ信号から所望の周波数のＲＦ信号を選択するチューナ回路２８とを備える。
【００３１】
また、移動体放送受信装置１０は、動作制御を行うＣＰＵ３０（検出手段、判定手段、第１判定手段、第２判定手段）を備える。ＣＰＵ３０は、チューナ部２２を構成するＡＧＣ回路２４ａ〜２４ｄにより調整されたＲＦ信号のレベルであるＡＧＣレベルに基づき、スイッチ部１６の切り替えスイッチ１８ａ〜１８ｄを切り替え制御する。切り替えスイッチ１８ａ〜１８ｄは、ＯＮ、ＯＦＦ制御されることで、アンテナ１４ａ〜１４ｄと低ノイズ増幅器ＬＮＡａ〜ＬＮＡｄ、または、アンテナ１４ａ〜１４ｄとバイパスライン２０ａ〜２０ｄとを接続する。
【００３２】
なお、以下の説明では、アンテナ１４ａ〜１４ｄと低ノイズ増幅器ＬＮＡａ〜ＬＮＡｄとを接続する（低ノイズ増幅器ＬＮＡａ〜ＬＮＡｄを用いる）ことを、低ノイズ増幅器ＬＮＡａ〜ＬＮＡｄを作動状態に設定するとし、アンテナ１４ａ〜１４ｄとバイパスライン２０ａ〜２０ｄとを接続する（低ノイズ増幅器ＬＮＡａ〜ＬＮＡｄを用いない）ことを、低ノイズ増幅器ＬＮＡａ〜ＬＮＡｄを非作動状態に設定するとして説明を行う。
【００３３】
また、後述する通り、各ＲＦ信号のＡＧＣレベルの全てが第２の閾値Ｂ以下である場合において、低ノイズ増幅器ＬＮＡａ〜ＬＮＡｄを用いない状態（非作動状態）から、低ノイズ増幅器ＬＮＡａ〜ＬＮＡｄを用いる状態（作動状態）に変更する場合に加え、低ノイズ増幅器ＬＮＡａ〜ＬＮＡｄを用いる状態（作動状態）を維持する場合も作動状態に設定することに含まれるものとして説明を行う。なお、非作動状態に設定する場合も同様である。
【００３４】
なお、ＣＰＵ３０がスイッチ部１６の切り替えスイッチ１８ａ〜１８ｄを切り替え制御する際に用いる信号（レベル）は、ＡＧＣレベルに限らずＲＦ信号のレベルに対して所定関係をもつ信号であれば、ＡＧＣレベル以外の信号も用いても良い。
【００３５】
ＣＰＵ３０には、ユーザからの操作入力を受け付ける操作部３２と、移動体放送受信装置１０の動作制御を行うためのプログラムや処理データを記憶するＲＯＭ／ＲＡＭ３４と、チューナ部２２のチューナ回路２８により選択されたＲＦ信号に基づく画像や音声を出力部３６に出力するための制御を行う出力制御部３８とが接続される。操作部３２は、タッチパネルやリモコンからなり、例えば、チューナ回路２８に対してチャンネル指定を行うとともに、出力制御部３８に対して音量調整を行うことができる。出力部３６は、液晶表示パネルやスピーカ等とすることができる。
【００３６】
本発明のかかる移動体放送受信装置１０においては、ＲＦ信号のＡＧＣレベルの少なくとも１つが所定の閾値以上であれば、移動体放送受信装置１０を搭載した自動車が放送局１２からのＲＦ信号を十分に受信可能な強電界環境の場所にいることが明らかである。この場合、他のＲＦ信号のＡＧＣレベルが閾値より低くても、建物の影などで一時的にＡＧＣレベルが低下していると考えられるから、車両が少し移動すればＡＧＣレベルが回復する筈である。従って、全てのＲＦ信号に対して低ノイズ増幅器ＬＮＡａ〜ＬＮＡｄを用いないよう（非作動状態）に設定することで、低ノイズ増幅器ＬＮＡａ〜ＬＮＡｄが頻繁にＯＮ、ＯＦＦされることを防止でき、安定した状態で放送を視聴することができる。また、頻繁な切り替えを防止できるため、省電力にも十分寄与できる。
【００３７】
逆に、全てのＲＦ信号のＡＧＣレベルが閾値以下であれば、移動体放送受信装置１０を搭載した自動車が放送局１２から遠い、弱電界環境の場所にいるものと判断し、低ノイズ増幅器ＬＮＡａ〜ＬＮＡｄを用いるよう（作動状態）に設定し、所望の放送を安定した状態で視聴することができるようにする。
【００３８】
ここで前記所定の閾値を、第１の閾値Ａとそれより低い第２の閾値Ｂとしておき、ＲＦ信号のＡＧＣレベルの少なくとも１つが第１の閾値Ａ以上であれば、低ノイズ増幅器ＬＮＡａ〜ＬＮＡｄを用いず、逆に、全てのＲＦ信号のＡＧＣレベルが第２の閾値Ｂ以下であれば、低ノイズ増幅器ＬＮＡａ〜ＬＮＡｄを用いるようにすれば、増幅器ＬＮＡａ〜ＬＮＡｄのオン（接続）、オフ（非接続）制御にヒステリシス特性を持たせることができ、増幅器が頻繁に切り替わってしまう不具合を効果的に解消することができる。
【００３９】
なお、低ノイズ増幅器ＬＮＡａ〜ＬＮＡｄを用いている場合（作動状態）において、ＲＦ信号のＡＧＣレベルの少なくとも１つが所定の閾値Ａ以上であれば、全てのＲＦ信号に対して低ノイズ増幅器ＬＮＡａ〜ＬＮＡｄを用いないようにする（非作動状態）設定を行うが、低ノイズ増幅器ＬＮＡａ〜ＬＮＡｄを用いていない場合（非作動状態）において、ＲＦ信号のＡＧＣレベルの少なくとも１つが所定の閾値Ａ以上である場合も、全てのＲＦ信号に対して低ノイズ増幅器ＬＮＡａ〜ＬＮＡｄを用いないようにする（非作動状態）設定を行う。なお、作動状態に設定する場合も同様である。
【００４０】
また、各ＲＦ信号レベルの全てが第１の閾値Ａよりも小さく、且つ、各ＲＦ信号レベルの何れかが第２の閾値Ｂよりも大きいと判定されたとき、低ノイズ増幅器ＬＮＡａ〜ＬＮＡｄの状態をそのまま維持するように構成している。これにより、低ノイズ増幅器ＬＮＡａ〜ＬＮＡｄを現在の状態に維持することで、増幅器が頻繁にＯＮ、ＯＦＦされることがなく、安定した状態で所望の放送を視聴することができる。
【００４１】
本実施例の移動体放送受信装置１０は、基本的には、以上のように構成されるものであり、次に、その動作について、図２に示すフローチャート、および、図３に示すＡＧＣレベルと低ノイズ増幅器ＬＮＡａ〜ＬＮＡｄのＯＮ、ＯＦＦ状態との関係説明図に基づいて説明する。
【００４２】
ユーザは、自動車の走行中において、操作部３２を操作して視聴したい放送局のチャンネルを指定する。ＣＰＵ３０は、指定されたチャンネルをチューナ部２２のチューナ回路２８に指示し、放送局１２から所望のＲＦ信号の受信を開始する。
【００４３】
移動体放送受信装置１０の各アンテナ１４ａ〜１４ｄは、放送局１２からＲＦ信号を受信し（ステップＳ１０１）、切り替えスイッチ１８ａ〜１８ｄおよび低ノイズ増幅器ＬＮＡａ〜ＬＮＡｄを介してチューナ部２２に供給する。なお、切り替えスイッチ１８ａ〜１８ｄは、当初、アンテナ１４ａ〜１４ｄと低ノイズ増幅器ＬＮＡａ〜ＬＮＡｄとを接続しているものとして説明する。従って、受信したＲＦ信号は、低ノイズ増幅器ＬＮＡａ〜ＬＮＡｄによって増幅され、チューナ部２２に供給される。
【００４４】
チューナ部２２のＡＧＣ回路２４ａ〜２４ｄは、供給された各ＲＦ信号のゲインを調整し、調整されたＲＦ信号を信号合成回路２６に供給する。信号合成回路２６は、供給された各ＲＦ信号を合成した後、チューナ回路２８に供給する。なお、信号合成回路２６では、各ＡＧＣ回路２４ａ〜２４ｄからのＲＦ信号を単純に加算する処理、加算平均する処理、信号レベルの最も大きいＲＦ信号を選択する処理等、種々の合成処理を行うことができる。
【００４５】
チューナ回路２８は、合成されたＲＦ信号から、指定されたチャンネルのＲＦ信号を選択し、出力制御部３８に供給する。出力制御部３８は、ＲＦ信号に基づいて出力部３６を制御し、所望の画像及び音声を出力させる。
【００４６】
ＣＰＵ３０は、ＡＧＣ回路２４ａ〜２４ｄによって調整された各ＲＦ信号のＡＧＣレベルを検出し（ステップＳ１０２）、所定の閾値Ａ（第１閾値）および閾値Ｂ（第２閾値）（Ａ＞Ｂ）と比較する。
【００４７】
ここで、ＲＦ信号の何れかのＡＧＣレベルが閾値Ａ以上であるとき（ステップＳ１０３、ＹＥＳ）、ＣＰＵ３０は、切り替えスイッチ１８ａ〜１８ｄをバイパスライン２０ａ〜２０ｄ側に切り替えることにより、低ノイズ増幅器ＬＮＡａ〜ＬＮＡｄの全てをＯＦＦの状態（非作動状態）に設定する（ステップＳ１０４、図３、時刻ｔ＝ｔ１参照）。
【００４８】
すなわち、ＲＦ信号のＡＧＣレベルの少なくとも１つが閾値Ａ以上であれば、移動体放送受信装置１０を搭載した自動車が放送局１２からのＲＦ信号を十分に受信可能な場所にいるため、低ノイズ増幅器ＬＮＡａ〜ＬＮＡｄを用いることなく、ＲＦ信号を確実に受信することができる。すなわち、ＲＦ信号のＡＧＣレベルの少なくとも１つが閾値Ａ以上であれば、ＲＦ信号の変動によって低ノイズ増幅器ＬＮＡａ〜ＬＮＡｄが頻繁にＯＮ、ＯＦＦされることがなく、安定した状態で放送を視聴することができる。また、ＲＦ信号を無駄に増幅することがないため、省電力にも十分に寄与することができる。
【００４９】
全てのＲＦ信号のＡＧＣレベルが閾値Ａよりも小さく（ステップＳ１０３、ＮＯ）、且つ、ＲＦ信号のＡＧＣレベルの少なくとも１つが閾値Ｂよりも大きいとき（ステップＳ１０５、ＮＯ）、低ノイズ増幅器ＬＮＡａ〜ＬＮＡｄの全てを現在の状態に維持する。
【００５０】
例えば、ステップＳ１０４において低ノイズ増幅器ＬＮＡａ〜ＬＮＡｄの全てがＯＦＦの状態に設定されている場合、ＲＦ信号のＡＧＣレベルの少なくとも１つが閾値Ｂよりも大きければ、移動体放送受信装置１０を搭載した自動車が放送局１２からのＲＦ信号を受信可能な場所にいるため、低ノイズ増幅器ＬＮＡａ〜ＬＮＡｄを用いることなく、ＲＦ信号を受信することができる。また、ＲＦ信号の変動によって低ノイズ増幅器ＬＮＡａ〜ＬＮＡｄが頻繁にＯＮ、ＯＦＦされることがなく、安定した状態で放送を視聴することができる。さらに、ＲＦ信号を無駄に増幅することがないため、省電力にも十分に寄与することができる。
【００５１】
なお、低ノイズ増幅器ＬＮＡａ〜ＬＮＡｄの全てがＯＮの状態に設定されている場合も同様に、ＲＦ信号のＡＧＣレベルの全てが閾値Ａ以下であれば、低ノイズ増幅器ＬＮＡａ〜ＬＮＡｄをＯＮ状態に維持することにより、安定した状態で放送を視聴することができる。
【００５２】
全てのＡＧＣレベルが閾値Ｂ以下のときには（ステップＳ１０５、ＹＥＳ）、ＣＰＵ３０は、切り替えスイッチ１８ａ〜１８ｄを低ノイズ増幅器ＬＮＡａ〜ＬＮＡｄ側に切り替え、低ノイズ増幅器ＬＮＡａ〜ＬＮＡｄの全てをＯＮ（作動状態）に設定する（ステップＳ１０６、図３、時刻ｔ＝ｔ２参照）。すなわち、全てのアンテナ１４ａ〜１４ｄが弱電界のＲＦ信号しか受信できない場合であっても、低ノイズ増幅器ＬＮＡａ〜ＬＮＡｄによってＲＦ信号を増幅し、良好な受信状態を得ることができる。
【００５３】
なお、本発明は、上述した実施例に限定されるものではなく、本発明の要旨を逸脱しない範囲で変更することが可能である。
【００５４】
例えば、低ノイズ増幅器ＬＮＡａ〜ＬＮＡｄの前段に配設したスイッチ部１６によりバイパスライン２０ａ〜２０ｄと低ノイズ増幅器ＬＮＡａ〜ＬＮＡｄを切替え低ノイズ増幅器ＬＮＡａ〜ＬＮＡｄをＯＮ、ＯＦＦするのに代えて、ＣＰＵ３０により低ノイズ増幅器ＬＮＡａ〜ＬＮＡｄを直接ＯＮ、ＯＦＦ制御するように構成してもよい。また、アンテナ１４ａ〜１４ｄは、移動体放送受信装置１０の異なる２つ以上の位置に配置されたものであればよい。
【００５５】
また、上記実施例では、チューナ部２２のＡＧＣ回路２４ａ〜２４ｄは、供給された各ＲＦ信号のゲインを調整し、調整されたＲＦ信号を信号合成回路２６に供給し、信号合成回路２６は、供給された各ＲＦ信号を合成した後、チューナ回路２８に供給したが、これに限ることはなく、チューナ部２２のＡＧＣ回路２４ａ〜２４ｄは、供給された各ＲＦ信号のゲインを調整し、調整された各ＲＦ信号を複数のチューナ回路（アンテナ数に対応した数）に夫々供給し、各チューナ回路は、指定されたチャンネルのＲＦ信号を選択し、信号合成回路２６に供給するように構成してもよい。
【符号の説明】
【００５６】
１０・・・移動体放送受信装置
１２・・・放送局
１４ａ〜１４ｄ・・・アンテナ
１６・・・スイッチ部
１８ａ〜１８ｄ・・・スイッチ
２０ａ〜２０ｄ・・・バイパスライン
２２・・・チューナ部
２４ａ〜２４ｄ・・・ＡＧＣ回路
２６・・・信号合成回路
２８・・・チューナ回路
３０・・・ＣＰＵ
３２・・・操作部
３４・・・ＲＯＭ／ＲＡＭ
３６・・・出力部
３８・・・出力制御部
【図１】
2011229057.tif 000003
【図２】
2011229057.tif 000004
【図３】
2011229057.tif 000005